(57)【要約】【課題】地方の特産品の取り寄せを会員の相互扶助活動で行うことにある。【解決手段】地方の特産品取り寄せる会員と、取り寄せ依頼に応じて、現地に外出したとき、特産品を代理購入する会員と、を仲介するサービスを提供する受付センターサーバ２０と、会員の個人情報、あるいは地方への旅行予定の外出情報を前記受付センターサーバ２０に登録し、特産品取り寄せの会員相互扶助を受付センターサーバを介して実施する利用者端末１０、１Ｎと、受付センターサーバ２０と利用者端末１０，１Ｎとを通信接続するインターネット３０と、を備える。【選択図】      図１
2005092439.tif 000002
【特許請求の範囲】
【請求項１】
会員の相互扶助活動を支援するシステムにおいて、
地方の特産品取り寄せを相互扶助活動で行う会員を登録し、会員が地方に外出した際に、会員の依頼に応じて特産品を現地で代理購入して持ち帰る活動を支援する受付センターと、
会員が自身の、個人情報と、地方出張や旅行の外出情報と、所望する特産品の商品情報と、特産品取り寄せ依頼と、前記取り寄せ依頼に対する応諾と、を前記受付センターに入出力する利用者端末と、
前記受付センターと利用者端末とを通信接続するインターネットと、
でなることを特徴とする特産品代理購入システム。
【請求項２】
前記利用者端末は、
会員が有し、前記受付センターのデータベースにアクセスするブラウザを有するパーソナルコンピュータであることを特徴とする請求項１記載の特産品代理購入システム。
【請求項３】
前記受付センターは、
前記特産品取り寄せの相互扶助活動に加入する会員のメールアドレスを含む個人情報を登録する会員情報データベースと、
前記会員が旅行や出張で地方に外出する月日及び行き先を含む情報を登録する外出情報データベースと、
前記会員が取り寄せを所望する特産品の販売店舗を含む情報を登録する購入依頼情報データベースと、
特産品及びそれの販売店舗名を含む商品情報を登録する特産品店情報データベースと、
前記会員の特産品取り寄せ依頼に対して、前記会員情報データベース及び前記外出情報データベースを検索して、会員の内から代理購入する会員を選択し、前記特産品取り寄せ依頼会員及び前記代理購入会員の間で、購入依頼及び代理購入承諾並びに代理購入報告の通信を仲介する処理装置と、
を備えるサーバであることを特徴とする請求項１記載の特産品代理購入システム。
【請求項４】
前記代理購入報告は、
代理購入会員が特産品の受渡方法及び代金支払い方法の問い合わせを含むことを特徴とする請求項３記載の特産品代理購入システム。
【請求項５】
会員の相互扶助活動を支援するシステムの方法において、
特産品代理購入の会員扶助活動に加入する会員を受付センターの会員情報データベースに登録する段階と、
会員が所望する特産品の商品情報を受付センターの特産品店情報データベースに登録する段階と、
会員が地方に出張や旅行の外出情報を受付センターの外出情報データベースに登録する段階と、
会員が特産品の取り寄せ依頼をそれの商品情報を付して受付センターの購入依頼データベースに登録する段階と、
受付センターが、前記取り寄せ依頼に基づいて、前記会員情報データベース及び前記外出情報データベース並びに前記特産品店情報データベースを検索して、前記特産品の代理購入会員を選択する段階と、
受付センターが選択した代理購入会員に代理購入依頼書を送付する段階と、
依頼された代理購入会員が代理購入依頼の諾否を受付センターに送付する段階と、
受付センターが前記代理購入承諾書を取り寄せ依頼会員に送付する段階と、
代理購入会員が依頼された特産品を購入後、代理購入報告を受付センターに送付する段階と、
受付センターが代理購入報告書を取り寄せ依頼会員に送付する段階と、
取り寄せ依頼会員が特産品受渡方法通知を受付センターに送付する段階と、
依頼会員及び代理購入会員が特産品を受渡した後、受付センターに受渡完了通知を送付する段階と、
受付センターが前記取り寄せ依頼を購入依頼データベースから削除する段階と、
を実行することを特徴とする特産品代理購入システムの方法。
【請求項６】
請求項５における、
特産品代理購入の会員扶助活動に加入する会員を受付センターの会員情報データベースに登録する段階と、
会員が所望する特産品の商品情報を受付センターの特産品店情報データベースに登録する段階と、
会員が地方に出張や旅行の外出情報を受付センターの外出情報データベースに登録する段階と、
会員が特産品の取り寄せ依頼をそれの商品情報を付して受付センターの購入依頼データベースに登録する段階と、
受付センターが、前記取り寄せ依頼に基づいて、前記会員情報データベース及び前記外出情報データベース並びに前記特産品店情報データベースを検索して、前記特産品の代理購入会員を選択する段階と、
受付センターが選択した代理購入会員に代理購入依頼書を送付する段階と、
依頼された代理購入会員が代理購入依頼の諾否を受付センターに送付する段階と、
受付センターが前記代理購入承諾書を取り寄せ依頼会員に送付する段階と、
代理購入会員が依頼された特産品を購入後、代理購入報告を受付センターに送付する段階と、
受付センターが代理購入報告書を取り寄せ依頼会員に送付する段階と、
取り寄せ依頼会員が特産品受渡方法通知を受付センターに送付する段階と、
依頼会員及び代理購入会員が特産品を受渡した後、受付センターに受渡完了通知を送付する段階と、
受付センターが前記取り寄せ依頼を購入依頼データベースから削除する段階と、
をコンピュータに実行させるためのプログラム。
【発明の詳細な説明】
【技術分野】
【０００１】
この発明は、地方の特産品の購入に関し、特に会員が相互扶助で代理購入し、送料を節減する特産品代理購入システム及びその方法及びプログラムに関する。
【背景技術】
【０００２】
ボランティア活動を宅配に利用するシステムがある。配送するボランティアの会員情報と、該会員のスケジュール情報と、を登録しておき、配送依頼があると、登録されているボランティアの内から、適任を選んで配送を委託するシステムである。配送依頼者に対する状況報告は、システムが配送人の状況報告に基づいて、通知される。このシステムでは、物品の配送依頼だけにボランティアが利用されている。
【０００３】
【特許文献１】特開２００３−５０８４８号公報（段落００１０）
【発明の開示】
【発明が解決しようとする課題】
【０００４】
地方の特産品をオンラインショッピングで取り寄せるシステムがインターネットによって実用化されている。特産品の多くは、お土産に利用されるような食べ物で、特別に高価なものではない。しかし、該システムは、取り寄せには便利であるが、特産品の値段に比べ、配送費が割高で、該システムの利用を敬遠する理由になっている。そこで、地方の特産品の取り寄せに相互扶助活動を利用する。
【０００５】
相互扶助活動は会員登録された人を対象にする。会員の相互扶助で、地方の特産品を地元の販売店から直接購入し、配送料金を節減して取り寄せるシステムを実現する。
【０００６】
取り寄せを依頼する会員に代わって、代理購入をする会員は、購入依頼会員から一番近い住所で、かつ特産品の販売店に旅行や出張などで出向いたときに該商品の購入することにより、所望の商品を遠地から高額な送料をかけずに購入できることになる。
【０００７】
この発明の目的は、地方の特産品の取り寄せを会員の相互扶助活動で行うためのシステムを提供することにある。
【課題を解決するための手段】
【０００８】
そのため、この発明の、会員の相互扶助活動を支援するシステムにおいて、地方の特産品取り寄せを相互扶助活動で行う会員を登録し、会員が地方に外出した際に、会員の依頼に応じて特産品を現地で代理購入して持ち帰る活動を支援する受付センターと、会員が自身の、個人情報と、地方出張や旅行の外出情報と、所望する特産品の商品情報と、特産品取り寄せ依頼と、前記取り寄せ依頼に対する応諾と、を前記受付センターに入出力する利用者端末と、前記受付センターと利用者端末とを通信接続するインターネットと、でなることを特徴とする。
【０００９】
更に、前記利用者端末は、会員が有し、前記受付センターのデータベースにアクセスするブラウザを有するパーソナルコンピュータであることを特徴とする。
【００１０】
更に、前記受付センターは、前記特産品取り寄せの相互扶助活動に加入する会員のメールアドレスを含む個人情報を登録する会員情報データベースと、前記会員が旅行や出張で地方に外出する月日及び行き先を含む情報を登録する外出情報データベースと、前記会員が取り寄せを所望する特産品の販売店舗を含む情報を登録する購入依頼情報データベースと、特産品及びそれの販売店舗名を含む商品情報を登録する特産品店情報データベースと、前記会員の特産品取り寄せ依頼に対して、前記会員情報データベース及び前記外出情報データベースを検索して、会員の内から代理購入する会員を選択し、前記特産品取り寄せ依頼会員及び前記代理購入会員の間で、購入依頼及び代理購入承諾並びに代理購入報告の通信を仲介する処理装置と、を備えるサーバであることを特徴とする。
【００１１】
更に、前記代理購入報告は、代理購入会員が特産品の受渡方法及び代金支払い方法の問い合わせを含むことを特徴とする。
【発明の効果】
【００１２】
この発明の効果は、オンライショッピングで地方の特産品を取り寄せると送料が割高であることを解消する。その理由は、会員が外出する際に、ついでに特産品を外出先で代理購入し、送料を節減できるからである。
【００１３】
更に、他の効果は、代理購入会員を捜すことが容易にできることである。その理由は、特産品代理購入システムが会員情報データベースと、外出情報データベースと、特産品店情報データベースと、を代理購入依頼に基づいて検索して代理購入会員を自動的に捜すからである。
【００１４】
更に、他の効果は、代理購入依頼者の購入特産品に対する満足度を高めることができる。その理由は、代理購入の会員が現地の店で、注文に合った特産品を選択して購入することができるからである。
【発明を実施するための最良の形態】
【００１５】
この発明を実施するための最良の形態について図面を参照して説明する。図１を参照すると、特産品代理購入システム１は、特産品代理購入を相互扶助する会員が有する利用者端末１０乃至利用者端末１Ｎと、会員の特産品代理購入依頼と会員の旅行や出張の日程とを照合して代理購入会員を選択する受付センターサーバ２０と、利用者端末１０乃至利用者端末１Ｎ並びに受付センターサーバ２０を接続するインターネット３０と、を備える。
【００１６】
受付センターサーバ２０は、図２を参照すると、会員の個人情報を登録する会員情報データベース２０２と、会員が旅行や出張する行き先や日程を登録する外出情報データベース２０３と、会員が特産品及びそれの販売店情報を含む購入依頼を登録する購入依頼データベース２０４と、会員が所望する特産品及びそれの店舗情報を登録する特産品店情報データベースと、会員情報データベース２０２及び外出情報データベース２０３及び特産品情報データベース２０５を購入依頼に基づいて検索し、代理購入会員を選定して代理購入依頼及び代理購入承諾並びに受渡の手順をメール交信で実施する処理装置２０１と、を備える。
【００１７】
会員情報データベース２０２は、会員情報を例示する図４を参照すると、各会員のログインＩＤ２０２１１と、パスワード２０２１２と、会員番号２０２１３と、Ｅメールアドレス２０２４と、氏名２０２１５などの個人情報を含む。
【００１８】
外出情報データベース２０３は、外出情報を例示する図５を参照すると、会員番号２０３１と、外出日２０３２と、帰宅日２０３３と、外出先２０３４と、を含む。
【００１９】
購入依頼データベース２０４は、依頼されて代理購入する会員の情報及び依頼物を例示する図６を参照すると、特産品を代理購入する会員の、会員番号２０４１と、購入期日２０４２と、購入会員年齢２０４３と、購入会員性別２０４４と、に対して、依頼する特産品の購入先２０４５と、購入物２０４６と、代理購入を完了したか否かを示す完了識別２０４７と、購入物を受渡したかを否かの識別受渡２０４８と、を含む。
【００２０】
特産品店情報データベース２０５は、例示する図７を参照すると、店名２０５１と、店所在地２０５２と、販売品２０５３と、住所２０５４と、場所２０５５と、定休日２０５６と、を含む。
【００２１】
特産品代理購入システム１の機能を説明する。図１に示す通り、会員の代理購入依頼会員の利用者端末１０と、受付センターサーバ２０と、複数の会員の利用端末１Ｎが各々インターネット３０を介して接続されている。代理購入依頼会員が利用者端末１０からインターネット３０を介して、受付センターサーバ２０にアクセスして会員登録後、受付センターサーバ２０からログイン情報を受け取る。会員は受付センターサーバ２０の特産品代理購入システム１に該ログイン情報を用いてログインすることができる。特産品代理購入を依頼する会員は自身の利用者端末１０から該システム１にログイン後、代理購入を依頼したい特産品の代理購入依頼情報を送り、購入依頼データベース２０４に登録する。代理購入依頼情報は、依頼者である会員に会員番号及び氏名並びに住所などの個人情報と、代理購入を依頼する特産品の購入期日及び購入先を含む。
【００２２】
特産品代理購入システム１は、代理購入依頼情報に基づいて、会員情報データベース２０２と、外出情報データベース２０３と、特産品店情報データベース２０５と、を検索して、会員の内から、外出予定及び外出先が代理購入する特産品店の場所に一致する会員を検索して、代理購入会員を決定する。受付センターサーバ２０は、図８に例示する代理購入依頼書８０を自動的に代理購入会員の利用者端末１Ｎに送付する。代理購入会員に指定された会員は、自身の利用者端末１Ｎから、依頼の諾否を回答する。依頼を受諾する場合、会員は利用者端末１Ｎから、代理購入承諾を返信すると、受付センターサーバ２０は、図９に例示する代理購入承諾書９０を代理購入依頼の利用者端末１０に返信する。
【００２３】
代理購入会員は、依頼された特産品を購入後、受付センターサーバ２０に返信する。受付センターサーバ２０は、依頼の利用者端末１０に、図１０に例示する代理購入報告書１００を送付する。代理購入報告書１００には、代理購入会員からの特産品受渡と支払いの情報が含まれる。依頼会員及び代理購入会員は、代理購入報告書１００で指定される受渡及び支払いの仕方を実施することによって、代理購入の扶助活動が終了する。
【００２４】
次に、この実施の形態の方法を手順で示す図３のフローチャートを参照して説明する。まず、特産品代理購入システムに参加する会員が、通常活動の一環として、所要の情報を登録する。登録作業を示す図３を参照すると、会員は利用者端末１０，利用者端末１Ｎから会員登録依頼を受付センターサーバ２０に送付する（ステップ３０１，３０２）。受付センターサーバ２０は会員情報データベース２０２に会員情報を登録する（ステップ３０３）。更に、会員は受付センターサーバ２０に入手を所望する特産品登録依頼を送付する（ステップ３０４，３０５）。受付センターサーバ２０は特産品店情報データベース２０５に特産品及びその販売店情報を登録する（ステップ３０６）。更に、会員は自身が予定している旅行や出張などの外出情報登録依頼を受け付けサーバ２０に送付する（ステップ３０７，３０８）。受付センターサーバ２０は外出情報データベース２０３に外出情報を登録する（ステップ３０９）。
【００２５】
会員が特産品入手の方法の手順は、会員が利用者端末１０から所望する特産品購入依頼を受付センターサーバ２０に送付する（ステップ３１０）。受付センターサーバ２０は特産品購入依頼を購入依頼データベース２０４に登録する（ステップ３１１）。受付センターサーバ２０は会員情報データベース２０２及び外出情報データベース２０３を検索して代理購入会員を選択する（ステップ３１２）。受付センターサーバ２０は代理購入依頼書９０を該当代理購入会員に送付する（ステップ３１３）。該当の代理購入会員は、該依頼に対する諾否を回答する（ステップ３１４）。受付センターサーバ２０は回答が否の場合、更に代理購入会員の検索を続ける。受付センターサーバ２０は回答が諾の場合、代理購入依頼データベース２０４を更新し（ステップ３１５）、依頼会員に代理購入承諾書９０を送付する（ステップ３１６）。
【００２６】
代理購入会員は、依頼された特産品を購入すると代理購入報告を受付センターサーバ２０に送付する（ステップ３１７）。受付センターサーバ２０は、受渡方法の問い合わせを含む代理購入報告書１００を依頼者の利用者端末１０に送付する（ステップ３１８）。依頼会員は利用者端末１０を通じて、受付センターサーバ２０に特産品受渡方法を通知する（ステップ３１９）。受付センターサーバ２０は特産品受渡方法を代理購入会員に通知する（ステップ３２０）。依頼会員及び代理購入会員は、特産品の交換及び精算を該受渡方法によって実施した後、受付センターサーバ２０に受渡完了通知を送付する（ステップ３２１，３２２）。受付センターサーバ２０は、受渡完了通知に基づいて、購入依頼データベース２０４から該当の代理購入依頼を削除する（ステップ３２３）。
【産業上の利用可能性】
【００２７】
職場や地域における相互扶助活動に適用することができる。
【図面の簡単な説明】
【００２８】
【図１】この発明の特産品代理購入システムの構成を示す図である。
【図２】図１の受付センターサーバの構成を示す図である。
【図３】特産品代理購入システムの方法を示すフローチャートである。
【図４】会員情報データベースの構成を例示する図である。
【図５】外出情報データベースの構成を例示する図である。
【図６】購入依頼データベースの構成を例示する図である。
【図７】特産品店情報データベースの構成を例示する図である。
【図８】代理購入依頼書を例示する図である。
【図９】代理購入承諾書を例示する図である。
【図１０】代理購入報告書を例示する図である。
【符号の説明】
【００２９】
１    特産品代理購入システム
１０    利用者端末
１Ｎ    利用者端末
２０    受付センターサーバ
３０    インターネット
【図１】
2005092439.tif 000003
【図２】
2005092439.tif 000004
【図３】
2005092439.tif 000005
【図４】
2005092439.tif 000006
【図５】
2005092439.tif 000007
【図６】
2005092439.tif 000008
【図７】
2005092439.tif 000009
【図８】
2005092439.tif 000010
【図９】
2005092439.tif 000011
【図１０】
2005092439.tif 000012